(57)【要約】【課題】  掛止が解除されるまでの間、即ち、解除部材が押動されるまでは、筆記体の先端部が突出された状態のままとなっている。掛止が解除されるまでの間、筆記体の先端部が突出された状態のままであると言うことは、使用性や安全性に関して大きな障害がある。具体的には、掛止が解除されるまでの間は、衣類や物などを汚してしまう恐れがあり、又、衣類の生地が薄いと解除部材を押動する力が足りないため、筆記体の先端部は突出された状態のままとなり、更に衣類や物などを汚してしまうと言った問題が発生する。【解決手段】  軸筒に筆記体を出没可能に配置し、その筆記体の突出動作を筆記体と軸筒との掛止によって維持させると共に、前記軸筒の後部には弾撥部材を介してクリップが設けられた出没式筆記具であって、前記筆記体と軸筒との掛止解除をクリップの拡開動作によってなした出没式筆記具。【選択図】  図１
2005313515.tif 000002
【特許請求の範囲】
【請求項１】
軸筒に筆記体を出没可能に配置し、その筆記体の突出動作を筆記体と軸筒との掛止によって維持させると共に、前記軸筒の後部には弾撥部材を介してクリップが設けられた出没式筆記具であって、前記筆記体と軸筒との掛止解除をクリップの拡開動作によってなしたことを特徴とする出没式筆記具。
【請求項２】
前記筆記体を複数配置すると共に、それら複数の筆記体の後部にスライダーを接続せしめ、そのスライダーの移動によって前記筆記体を軸筒から出没させたことを特徴とする請求項１記載の出没式筆記具。
【請求項３】
前記軸筒に係合部を一体形成すると共に、その係合部に回転自在に係合する係合受部を前記クリップに一体形成したことを特徴とする請求項１、或いは、請求項２に記載の出没式筆記具。
【発明の詳細な説明】
【技術分野】
【０００１】
本発明は、単芯、多芯の筆記体を各筆記体後端のスライダーのスライド操作により、筆記体先端部を出没させる出没式筆記具に関するものである。
【背景技術】
【０００２】
従来から、複数の筆記体を軸筒に収納し、その筆記体の後部に接続されているスライダーを前後動させることによって、筆記体を軸筒の先端開口部から出没させる多芯式の筆記具が知られている。前記筆記体の１例としては、黒や赤、青などのボールペン体、芯の径を異ならしめたシャープペンシルユニット、或いは、前記ボールペン体とシャープペンシルユニットの混合体などがある。
突出動作について説明すると、選択したスライダーを前方にスライドさせることより、前記スライダーの掛止部が軸筒の掛止部に掛止し、この掛止によって前記スライダーに対応する筆記体の先端部が突出し、その突出状態が維持される。
前記筆記体の先端部を軸筒内に収納させる場合、突出している以外のスライダーを前方にスライドさせても良いが、クリップと軸筒との間に衣類などのポケットなどを挟み込ませても良い。以下詳述する。クリップの玉部の下方には、解除部材の押動突部が位置しており、又、解除部材にはスライダーと軸筒との掛止を解除する解除突起が形成されている。つまり、クリップ後部の上面を押圧しクリップを拡開させ、衣類などが挟み込まれると、前記押動突部が押圧され、その押動突起の押圧作用によって解除突起が前記スライダーの掛止部を押動し、その結果、前記スライダーの掛止部と軸筒の掛止部との掛止が解除される。
その他にもスライダー以外の部材で掛止を外す掛止解除機能も種々ある。例えば、把持する部分の上方に解除部材を配した物である。筆記終了後に、筆記状態を保ちながら親指や人差し指などで解除・収納することができるものとなっている。
【０００３】
【特許文献１】特開２００３−３９８８８号公報
【発明の開示】
【発明が解決しようとする課題】
【０００４】
しかし、何れの従来技術にあっても、掛止が解除されるまでの間、即ち、解除部材が押動されるまでは、筆記体の先端部が突出された状態のままとなっている。掛止が解除されるまでの間、筆記体の先端部が突出された状態のままであると言うことは、使用性や安全性に関して大きな障害がある。具体的に説明すると、掛止が解除されるまでの間は、衣類や物などを汚してしまう恐れがあり、又、衣類の生地が薄いと解除部材を押動する力が足りないため、筆記体の先端部は突出された状態のままとなり、更に衣類や物などを汚してしまうと言った問題が発生する。その為、使用者は常に筆記体の先端部が突出している状態であるか注意もしくは意識する必要があった。
【課題を解決するための手段】
【０００５】
本発明は、上記の課題に鑑みてなされたものであって、軸筒に筆記体を出没可能に配置し、その筆記体の突出動作を筆記体と軸筒との掛止によって維持させると共に、前記軸筒の後部には弾撥部材を介してクリップが設けられた出没式筆記具であって、前記筆記体と軸筒との掛止解除をクリップの拡開動作によってなしたことを要旨とし、使用者が筆記体の突出状態を意識せずに、衣類や物などを挟み込める安全性と簡便性にすぐれた出没式筆記の提供を目的とする。
【発明の効果】
【０００６】
本発明は、軸筒に筆記体を出没可能に配置し、その筆記体の突出動作を筆記体と軸筒との掛止によって維持させると共に、前記軸筒の後部には弾撥部材を介してクリップが設けられた出没式筆記具であって、前記筆記体と軸筒との掛止解除をクリップの拡開動作によってなしたので、筆記後は使用者がクリップ後部の上面を押圧するか、或いは、クリップの前部が持ち上がれば、簡単に、しかも確実に筆記体と軸筒との掛止が解除される。
【発明を実施するための最良の形態】
【０００７】
作用について説明する。本発明は、クリップの拡開動作と連動して筆記体の先端部が軸筒内に収納される。そのため、使用者には意識することなく、筆記体と軸筒との掛止解除がなされる。此によって、衣類や物などを汚すことなく、また、薄い生地に対しても確実に筆記体の先端部が軸筒内に収納される。
【０００８】
本発明の実施の形態の１例を図１〜７に示し、説明する。本実施例の軸筒１２は中軸３と、その中軸３の前方に着脱自在に螺合した前軸１と、前記中軸３の後部に固定された後軸４とから構成されているが、此に限ることなく、１つの部材から軸筒を構成しても良い。ちなみに、前記中軸３と後軸４は、中軸３の窓部３ａと後軸４の係合部４ｂの係合により固定されている。符号２はグリップであり、弾性のあるゴム材質などから形成されている。
軸筒１２内には筆記体であるリフィル１１が３本（本実施例では、色の異なるボールペン体である）挿入されており、それらのリフィル１１はコイルスプリングなどの弾撥部材１０により後方に付勢されている。又、それらのリフィル１１の後端にはスライダー７が接続されており、そのスライダー７の摺動部７ａと後軸４の摺動溝４ａとの係合により、前記スライダー７が軸方向に摺動可能となっている。
【０００９】
クリップ６は前記後軸４の上部に回転自在に固定されている。具体的に説明すると、前記クリップ６の中間部の下面には案内溝６ａが形成されており、その案内溝６ａには貫通穴部６ｂが形成されている。そして、その穴部６ｂには前記後軸４に形成された突起部４ｃが嵌り込んでいる。此によって、クリップ６が後軸４に対して回転自在となっているのである。
又、クリップ６と後軸４との間には、コイルスプリング状のトーションバネ８が位置しているが、板状バネを「く」字形に折り曲げるなどして代用しても良く、又、弾力性に富む発泡ウレタンなどを介在させても良い。そして、そのトーションバネ８のアーム８ａが前記後軸４の傾斜溝４ｄと前記クリップ６の傾斜溝６ｃに当接されている。ここで、トーションバネ８はそのバネの特徴として常に拡開しようとする力が働くため、後軸４の傾斜溝４ｄとクリップ６の傾斜溝６ｃから外れにくい構造となっている。また、クリップ６の拡開時にトーションバネ８が前方へ飛び出さないように前記後軸４の突起部４ｅを設けてある。更に、クリップ６の拡開時にトーションバネ８がねじりによる変形を防ぐため、クリップ６には側板６ｄが形成されており、その側板６ｄによってトーションバネ８の両側が固定されている。
【００１０】
ここで、前記クリップ６の後部と後軸４との間には、ヒンジ部材９が配置されている。このヒンジ部材９は摺動棒９ａを有しており、その摺動棒９ａは前記後軸４に形成された摺動穴４ｆの軸方向に摺動自在に挿着されている。又、ヒンジ部材９には連結板９ｂが形成されており、前記後軸４の側面に形成されたスリット４ｇに軸方向に摺動自在に挿着されている。更に、前記ヒンジ部材９の当接棒９ｃはクリップ６のＴ字溝６ｅに摺動自在に嵌り込んでいる。尚、そのＴ字溝６ｅの後方部内面には突起部６ｆが形成されている。嵌り込んでいるヒンジ部材９の当接棒９ｃがＴ字溝６ｅから衝撃で外れないようにしているのである。
符号５は尾栓であって、前記後軸４の後方に圧入などの手段によって固定されている。この尾栓５の内径部５ａには、前記ヒンジ部材９の固定棒９ｄが圧入結合されており、又、前記のように後軸４の内径部４ｈが尾栓５の内径部５ｂと圧入結合されている。
【００１１】
次に動作の説明をする。選択したスライダー７を軸方向に前方へ押圧させると後軸４の摺動溝４ａと前記スライダー７の摺動部７ａに案内されながらリフィル１１を伴い前進し、前記リフィル１１の先端部１１ａが前軸１の先端開口部により突出されると同時に前記スライダー７が前記後軸４の内側へ押し込まれる。この時、前記スライダー７の摺動部７ａの後方に位置する掛止部７ｂが前記後軸４の掛止部４ｉに掛止され、前記リフィル１１の突出状態が維持される。
【００１２】
次に前記リフィル１１を軸筒内に収納させたい場合には、クリップ６の後部上面６ｇを押圧する。この押圧操作によってクリップ６のＴ字溝６ｅと当接しているヒンジ部材９の当接棒９ｃから連結板９ｂへと前記の押圧操作が作用し、摺動棒９ａが突出しているスライダー７以外の他のスライダー７の掛外し部７ｃと接触すると共に、他のスライダー７を軸の前方に移動させる。
ここで、更にクリップ６の後部上面６ｇを押圧すると、突出しているスライダー７の掛外し部７ｃが、スライダー７以外の他のスライダー７の掛外し部７ｄの斜面に沿って、スライダー７が後軸４の外側へ押出されると共に、スライダー７の掛止部７ｂが後軸４の掛止部４ｉから外れる。つまり、スライダー７の後軸４に対する掛止が解除されたのである。その掛止解除によって、前記リフィル１１は弾撥部材１０の付勢力によって、前記スライダー７と共に後方へ移動し復帰する。これにより突出状態にあったリフィル１１が軸筒内に収納された状態となる。
尚、上記の収納操作は、１例であって、一般的になされている方法で突出状態にあるリフィル１１を収納させても良い。即ち、突出しているリフィル以外の他のリフィルに接続されているスライダーを前進せしめることによって、突出状態にあるリフィルのスライダーと後軸４の掛止を解除し、リフィルを軸筒１２内に収納させても良い。
【産業上の利用可能性】
【００１３】
このような実施の形態を採用したことで筆記後、衣類や物などを挟み込もうとクリップを拡開させたと同時に筆記体先端部が安全、且つ確実に軸筒内へ収納されるため使用者が常に筆記体先端部の状態を注意もしくは意識する必要がなくなる効果があるため安全性と簡便性の向上におおいに役立つ。
【図面の簡単な説明】
【００１４】
【図１】本発明の出没式筆記具の筆記体先端部収納時の一実施例切断斜視図である。
【図２】図１の出没式筆記具の筆記体先端部収納時の一実施例断面図である。（ａ）はクリップ側を正面とした時の右側面断面図を示す。（ｂ）はクリップ側を正面とした時の背面断面を示す。
【図３】図１の出没式筆記具の筆記体先端部突出時の一実施例切断斜視図である。
【図４】図１の出没式筆記具の筆記体先端部突出時の一実施例断面図である。（ａ）はクリップ側を正面とした時の右側面断面図を示す。（ｂ）はクリップ側を正面とした時の背面断面を示す。
【図５】図１の出没式筆記具の筆記体先端部掛止解除直後の一実施例断面図である。
【図６】図１の出没式筆記具の筆記体先端部掛止解除直後の一実施例断面図である。（ａ）はクリップ側を正面とした時の右側面断面図を示す。（ｂ）はクリップ側を正面とした時の背面断面を示す。
【図７】図１の出没式筆記具の分解斜視図である。
【符号の説明】
【００１５】
１      前軸
２      グリップ
３      中軸
３ａ    窓部
４      後軸
４ａ    摺動溝
４ｂ    係合部
４ｃ    突起部
４ｄ    傾斜溝
４ｅ    突起部
４ｆ    摺動穴
４ｇ    スリット
４ｈ    内径部
４ｉ    掛止部
５      尾栓
５ａ    内径部
５ｂ    内径部
６      クリップ
６ａ    案内溝
６ｂ    貫通穴部
６ｃ    傾斜溝
６ｄ    側板
６ｅ    ｔ字溝
６ｆ    突起部
６ｇ    後部上面
７      スライダー
７ａ    摺動部
７ｂ    掛止部
７ｃ    掛外し部
７ｄ    掛外し部
８      トーションバネ
８ａ    アーム
９      ヒンジ部材
９ａ    摺動棒
９ｂ    連結板
９ｃ    当接棒
９ｄ    固定棒
１０    弾撥部材
１１    リフィル
１１ａ  先端部
１２    軸筒
【図１】
2005313515.tif 000003
【図２】
2005313515.tif 000004
【図３】
2005313515.tif 000005
【図４】
2005313515.tif 000006
【図５】
2005313515.tif 000007
【図６】
2005313515.tif 000008
【図７】
2005313515.tif 000009